(57)【特許請求の範囲】
【請求項１】
検温素子により検出した被測定部位における温度の実測値の経時変化に基づいて平衡温度を予測する予測手段を有する電子体温計であって、
前記検温素子が検出した実測値が予測開始条件を満たしたことを検出した場合に前記予測手段による予測を開始する予測実行手段と、
前記実測値が第１の温度値を超えるまでは前記実測値を表示し、前記実測値が前記第１の温度値を超えた場合には前記予測手段から得られた予測値を表示する表示手段と、
前記実測値の経時変化が所定の条件を満足することを検出した後、前記実測値が前記第１の温度値を超えることなく該実測値の経時変化が安定したことを検出した場合に、体温計測が完了したことを報知する報知手段と、を備え、
前記表示手段は、前記報知手段が体温計測の完了の報知を行った場合に、前記実測値の表示をピークホールドすることを特徴とする電子体温計。
【請求項２】
前記予測開始条件とは、実測値の経時変化の率が所定値を超えたこと、及び／または、実測値が第２の温度値である３２℃を超えたことであることを特徴とする請求項１に記載の電子体温計。
【請求項３】
前記報知手段は、実測値が前記第１の温度値である３４℃を超えた場合にはその機能を停止することを特徴とする請求項１または２に記載の電子体温計。
【請求項４】
前記報知手段は、前記実測値の経時変化が前記所定の条件を満足することを検出した後、当該検出から所定時間を経過した後に、前記実測値の経時変化の率が所定範囲となった場合に前記体温計測の完了を報知することを特徴とする請求項１乃至３のいずれか１項に記載の電子体温計。
【請求項５】
前記報知手段は、前記実測値の経時変化が前記所定の条件を満足することを検出した後、前記体温計測が完了する前に、前記実測値の経時変化の変化率が負方向へ所定値を超えた場合には、前記実測値の経時変化が前記所定の条件を満足することを検出する処理からの動作をやり直すことを特徴とする請求項４に記載の電子体温計。
【請求項６】
検温素子により検出した被測定部位における温度の実測値の経時変化に基づいて平衡温度を予測する予測機能を有する電子体温計の制御方法であって、
前記検温素子が検出した実測値が予測開始条件を満たしたことを検出した場合に前記予測機能による予測を開始する予測実行工程と、
前記実測値が第１の温度値を超えるまでは前記実測値を表示し、前記実測値が前記第１の温度値を超えた場合には前記予測実行工程で開始された前記予測機能から得られた予測値を表示する表示工程と、
前記実測値の経時変化が所定の条件を満足することを検出した後、前記実測値が前記第１の温度値を超えることなく前記実測値の経時変化が安定したことを検出した場合に、体温計測が完了したことを報知する報知工程と、を備え、
前記表示工程では、前記報知工程において体温計測の完了の報知が行われた場合に、前記実測値の表示をピークホールドすることを特徴とする電子体温計の制御方法。
【発明の詳細な説明】
【技術分野】
【０００１】
本発明は、被検者の体温を測定する電子体温計に関するものである。
【背景技術】
【０００２】
従来より被検者の体温を測定し、得られた温度値から平衡温度を予測して予測値を表示する電子体温計が広く普及している（特許文献１）。この種の電子体温計では、検温素子により検出した非測定部位における温度の実測値の経時変化に基づいて平衡温度を予測するため、迅速に被検体の体温の計測結果を提示することができる。
【先行技術文献】
【特許文献】
【０００３】
【特許文献１】特開２００７−０２４５３１号公報
【発明の概要】
【発明が解決しようとする課題】
【０００４】
電子体温計は、通常体温もしくは発熱時において平衡温度を迅速且つ正確に予測できるように予測アルゴリズムが調整されている。従って、例えば、実測値が所定温度を超えない場合にはエラーとして終了してしまう。そのため、例えば、低体温症に陥った被検者の体温を平衡温度予測式の電子体温計を用いて測定しようとすると計測エラーとなってしまい、低体温症に陥った被検者の体温を測定するような用途にそのような電子体温計を用いることができなかった。なお、ここでいう低体温症とは、何らかの原因で体温が３５℃以下に低下した病態で、３３〜３０℃（中度）、３０〜２５℃（重度）、２５〜２０℃（重篤：昏睡，仮死）、２０℃以下（非常に重篤：ほぼ死亡状態）をいう。
【０００５】
本発明は上記課題に鑑みてなされたものであり、通常体温を有する被検者の体温を計測した場合には平衡温度の予測により体温計測値を提示し、低体温症の被検者に対しても迅速且つ正確な体温計測を行える電子体温計を提供することを目的とする。
【課題を解決するための手段】
【０００６】
上記の目的を達成するための本発明の一態様による電子体温計は以下の構成を備える。すなわち、
検温素子により検出した被測定部位における温度の実測値の経時変化に基づいて平衡温度を予測する予測手段を有する電子体温計であって、
前記検温素子が検出した実測値が予測開始条件を満たしたことを検出した場合に前記予測手段による予測を開始する予測実行手段と、
前記実測値が第１の温度値を超えるまでは前記実測値を表示し、前記実測値が前記第１の温度値を超えた場合には前記予測手段から得られた予測値を表示する表示手段と、
前記実測値の経時変化が所定の条件を満足することを検出した後、前記実測値が前記第１の温度値を超えることなく該実測値の経時変化が安定したことを検出した場合に、体温計測が完了したことを報知する報知手段と、を備え、
前記表示手段は、前記報知手段が体温計測の完了の報知を行った場合に、前記実測値の表示をピークホールドする。
【発明の効果】
【０００７】
本発明によれば、予測式体温計としての機能を維持しながら、低体温症の状態にある被検体の体温を計測することが可能な電子体温計を提供することができる。
【図面の簡単な説明】
【０００８】
【図１】実施形態による電子体温計の外観構成を示す図。
【図２】実施形態による電子体温計の機能構成を示す内部ブロック図。
【図３】電子体温計における体温計測処理の全体の流れを示すフローチャート。
【図４】電子体温計における低体温計測処理を示すフローチャート。
【図５】電子体温計における平衡温度の予測処理を示すフローチャート。
【図６】電子体温計における温度表示の切り替えを説明する図。
【発明を実施するための形態】
【０００９】
以下、添付の図面を参照して、本発明の好適な実施形態を説明するが、本発明の範囲はこれに限定されるものではなく、適宜変更が可能である。
【００１０】
１．電子体温計の外観構成
図１は、本発明の一実施形態にかかる電子体温計１００の外観構成を示す図であり、図１（ａ）は平面図を、図１（ｂ）は側面図をそれぞれ示している。１０１は本体ケースで、図２により後述する演算制御部２２０等の電子回路、電池（電源部２５０）等が収納される。
【００１１】
１０２は、ステンレス製の金属キャップで、内部には温度を計測するためのサーミスタ（詳細は後述）等が収納され、液密性を有している。１０３は電源ＯＮ／ＯＦＦスイッチであり、１回押圧すると電源部２５０がＯＮとなり、再度押圧すると電源部２５０がＯＦＦとなる。なお、病院用の電子体温計などでは、液密性をもたせるために、電源ＯＮ／ＯＦＦスイッチ１０３のような手動操作によるＯＮ／ＯＦＦスイッチを設けないで、マグネットリードスイッチを設けている。このため、電子体温計１００が永久磁石を内蔵した収納ケース（不図示）から出されるとマグネットリードスイッチがＯＮされる。そして、電子体温計１００が収納ケースに収納されるまで、図２の電源部２５０から演算制御部２２０等の電子回路、温度計測部２１０、表示部２３０等に電源が供給され続け、電子体温計１００は電源がＯＮ状態となる。１０４は表示部であり、表示窓は透明性のある熱可塑性樹脂で形成され、内部のＬＣＤが被検者の体温を表示する。１０５は音声出力部であり、演算制御部２２０における処理に基づいて、音声を出力する。液密性を有するために、好ましくは、表示窓と本体ケース１０１は２色成形で形成されている。本体ケース１０１は、耐衝撃性，耐薬品性がある熱可塑性材料である、スチレン系樹脂（ハイインパクトスチロール，ＡＢＳ樹脂）、ポリオレフィン系樹脂（ポリプロピレン，ポリエチレン）等で形成されている。また、抗菌性を持たせるために、リン酸ジルコニウム銀化合物をほぼ１〜２．５重量％含むようにして成形してもよい。
【００１２】
２．電子体温計の機能構成
図２は本実施形態にかかる電子体温計１００の機能構成を示す内部ブロック図である。
【００１３】
電子体温計１００は、温度に対応した信号を出力する温度計測部２１０と、温度計測部２１０より出力された信号に基づいて各種処理を行い、被検者の体温を演算すると共に電子体温計１００全体の動作を制御する演算制御部２２０と、演算された被検者の体温を表示する表示部２３０と、音声データを出力する音声出力部２４０と、電源部２５０とを備える。なお、音声出力部２４０に加えて、或いはその代わりに、ブザーを設けてもよい。
【００１４】
温度計測部２１０は、サーミスタ（測定用抵抗素子）２１３、基準抵抗素子２１５、コンデンサ２１４、単一入力積分型のＡ／Ｄ変換回路２１１を含み、温度に対応した時間分のＯＮ信号（温度に対応して、ＯＮ時間が変わるディジタル信号）を出力する。なお、温度計測部２１０の構成は、このような単一入力積分型のＡ／Ｄ変換回路を用いたものに限られるものではない。例えば、サーミスタ２１３やコンデンサ２１４を用いてＣＲ発振回路を形成して、温度に対応した信号を取得する構成でも良い。
【００１５】
演算制御部２２０は、温度計測部２１０より出力される信号のＯＮ時間を計測するカウンタ２２２を備える。カウンタ２２２は、制御回路２２１内のクロック発生部２２８が生成したクロックをカウントし、得られたカウント値と当該クロックの周波数に基づいて上記ＯＮ時間を計測する。
【００１６】
また、演算制御部２２０は演算処理部２２３を備える。演算処理部２２３は、ＲＯＭ２２４に格納されたプログラムを実行することで、カウンタ２２２により計測された時間に基づいて温度データを算出し、算出された温度データを時系列でＲＡＭ２２６に記憶し、算出された温度データの時間変化に基づいて被検体の体温の予測演算を行うとともに、後述の低体温計測処理を行う。また、ＥＥＰＲＯＭ２２５には所定の音声データが格納されており、演算処理部２２３は、この音声データを用いて音声出力部１０５より音声データの出力を行う。また、演算制御部２２０は、演算処理部２２３における演算結果を表示する表示部２３０を制御するための表示制御部２２７を備える。更に、演算制御部２２０は、上記カウンタ２２２、表示制御部２２７、演算処理部２２３、温度計測部２１０を制御する制御回路２２１を備える。
【００１７】
３．電子体温計における体温計測処理の流れ
３．１  電子体温計における体温計測処理の全体の流れ
次に、以上説明したような構成を備える本実施形態の電子体温計１００における体温計測処理の流れについて説明する。
【００１８】
図３は、電子体温計１００における体温計測処理の流れを示すフローチャートである。以下、図３を用いて電子体温計１００における体温計測処理の流れを説明する。なお、図３に示す処理は、例えば演算処理部２２３によって実行される。
【００１９】
電源ＯＮ／ＯＦＦスイッチ１０３の手動操作またはマグネットリードスイッチ（不図示）がＯＮ状態になることで、電子体温計１００の電源部２５０がＯＮされると、ステップＳ３０１では、電子体温計１００の初期化が行われ、検温素子であるサーミスタ２１３による温度計測が開始される。例えば、演算処理部２２３では、所定の時間間隔、例えば、０．５秒おきに温度データの演算が行われる。次に、ステップＳ３０２において、低体温症の被検者の体温を計測可能とするべく演算処理部２２３は低体温計測処理を開始する。低体温計測処理では、サーミスタ２１３により検出された実測値の経時変化に基づいて低体温計測を開始し、低体温計測の開始後であって、実測値の経時変化が安定した（変化率が所定範囲に収まった）場合に計測完了となる。低体温計測処理については、図４により詳述する。以降、図３の処理と図４に示す低体温計測処理は並列に実行されることになる。なお、以下では、温度計測部２１０からの信号に基づいて取得された値を実測値、実測値の経時変化に基づいて平衡温度を予測することにより得られた値を予測値と称する。
【００２０】
ステップＳ３０３において、サーミスタ２１３による実測値が所定の温度値Ｔ０（例えば２０℃）を超えると、処理はステップＳ３０４に進み、演算処理部２２３は表示制御部２２７により実測値を表示部２３０に表示させる。実測値が所定の温度値Ｔ０を超えていない場合はステップＳ３０５へ進む。なお、ステップＳ３０３では、実測値が最初に温度値Ｔ０を超えた場合にのみＹＥＳ分岐し、他の場合はＮＯに分岐するものとする。
【００２１】
ステップＳ３０５において、演算処理部２２３は、実測値が予測開始条件を満足するか否かを判定する。そして、実測値が予測開始条件を満足すると判定された場合には、ステップＳ３０６において、平衡温度の予測処理が開始される。なお、ステップＳ３０５では、最初に予測条件が満足された場合にのみ処理をＹＥＳへ分岐させるものとする。従って、予測処理が一度起動されると、以降は、実測値の予測条件を満足するか否かに関わらずステップＳ３０５ではＮＯへ処理が分岐される。
【００２２】
なお、予測開始条件としては、例えば、実測値の経時変化の変化率が所定値を超えた場合に予測開始条件が満たされたと判定される。より具体的に例示すると、前回の温度計測により演算された温度データの値（つまり、０．５秒前の温度データの値）からの上昇度が、所定の値（例えば、１℃）以上となった場合に平衡温度の予測処理を開始する。或いは、予測開始条件として、単に実測値が所定値を超えたか否かを判定するようにしても良い。例えば、実測値が所定の温度値Ｔ１（例えば３２℃）を超えた場合に、平衡温度の予測を開始する。更に、上述したような複数の予測開始条件のアンドまたはオア条件を採用してもよい。ステップＳ３０６において予測処理が開始されると、ステップＳ３０２で起動された低体温計測処理とに加えてこの予測処理が並行して実行されることになる。
【００２３】
次に、ステップＳ３０７において、演算処理部２２３は、実測値が予め定められた温度値Ｔ２（例えば、３４℃）に達したか否かを判定し、達していれば予測処理による予測値を計測結果として用いるためにステップＳ３０８に処理を進める。ステップＳ３０８において、演算処理部２２３はステップＳ３０２で開始した低体温計測処理を停止する。そして、ステップＳ３０９において、演算処理部２２３は、表示制御部２２７による表示部２３０への表示を予測処理により得られた予測値の表示へ切り替える。即ち、Ｓ３０７〜Ｓ３０９において、演算処理部２２３は、実測値が予め定められた温度値Ｔ２を超えた場合に、低体温計測処理を停止するとともに、表示を予測処理から得られた予測値に切り替えて、本処理を終える。この結果、予測処理による体温計測のみが行われるようになり、一般的な平衡温度予測式の電子体温計による体温計測と同様の動作となる。
【００２４】
ステップＳ３１０において、演算処理部２２３は低体温計測処理による計測が完了したか否かを判定する。低体温計測処理による計測が完了した場合とは、低体温計測処理による計測結果が得られた状態（または得られたとみなされる状態）である。従って、低体温計測処理による計測が完了したと判定された場合、処理はステップＳ３１１へ進み、ステップＳ３０６で予測処理が起動されていればこれを停止し、本処理を終える。この結果、図４に示す低体温計測処理のみが続行されることになる。
【００２５】
３．２  電子体温計における低体温計測処理の流れ
次に、図４のフローチャートを参照して、本実施形態による低体温計測処理を説明する。
【００２６】
ステップＳ４０１において、演算処理部２２３は、タイマ１による計時を開始する。そして、ステップＳ４０２においてタイマ２により所定の計測終了時間（好ましくは１２０〜２４０秒、本例では２４０秒：より確実に精度よく低体温を実測値として測定するため）が経過したか否かを判定する。ここで、計測終了時間の経過が検出されると、処理はステップＳ４１０へ進み、強制的に計測完了（タイムアップ）とする。ステップＳ４１０以降の処理については後述する。
【００２７】
計測終了時間が経過していなければ、ステップＳ４０３において、演算処理部２２３は、実測値の経時変化に基づいて低体温計測条件を満足するか否かを判定する。例えば、実測値の経時変化の変化率が正の所定値を超える場合に、低体温計測を開始すると判定する。なお、上述した予測開始条件（Ｓ３０５）で用いられる変化率よりも、低体温計測の開始条件で用いられる変化率のほうが小さい値とすることが好ましい。被検者が低体温症となっている場合、温度値の上昇率は通常の被検者を計測した場合よりも小さくなると想定されるためである。低体温計測開始条件を満足しない場合は、処理はステップＳ４０２に戻る。
【００２８】
演算処理部２２３で低体温計測開始条件が満足されていると判定された場合、処理はステップＳ４０４へ進み、演算処理部２２３はタイマ２による計時を開始する。そして、演算処理部２２３は、タイマ２により所定時間（好ましくは４０〜６０秒、本例では４０秒：より確実に精度よく低体温を実測値として測定するため）が経過した後であって、実測値の経時変化が所定範囲となった場合に、低体温計測が完了したと判断する（ステップＳ４０５、Ｓ４０６）。なお、ステップＳ４０６においては、例えば、実測値の変化が０．０２℃／８秒以下となった場合に、実測値が安定したことを検出、即ち、低体温計測が完了したと判断する。ステップＳ４０６で実測値の安定が検出されると、演算処理部２２３は、音声出力部２４０により、或いはブザーを鳴動して、その旨をユーザに伝える（ステップＳ４１０）とともに、実測値表示をピークホールドする（ステップＳ４１１）。これらステップＳ４１０とステップＳ４１１により、低体温計測処理は計測完了となり、上述したステップＳ３１０では低体温計測処理のこの状態を検出することになる。
【００２９】
一方、ステップＳ４０５におけるタイマ２のタイムアップ及びステップＳ４０６における温度の安定を待つ間に、ステップＳ４０１で起動したタイマ１によりタイムアップが検出された場合、演算処理部２２３は処理をステップＳ４１０に進め、強制的に計測完了とする。なお、このように、タイマ１の計時が２４０秒を超えたことにより（Ｓ４０２、Ｓ４０７のＹＥＳ）ステップＳ４１０が実行された場合も、ステップＳ３１０では低体温計測処理の終了と判断されるものとする。
【００３０】
また、ステップＳ４０８において、演算処理部２２３は、低体温計測のやり直しが必要か否かを判定する。本実施形態では、実測値の計時変化が、負方向へ変化し、その下降率が所定値を超えた場合に、計測のやり直しが必要と判定される。やり直しが必要と判定されなければ処理はステップＳ４０５に戻り、上述の処理が繰り返される。一方、やり直しが必要と判定された場合には、処理はステップＳ４０９へ進む。ステップＳ４０９において演算処理部２２３はタイマ２をリセットし、処理をステップＳ４０２へ戻す。このようなやり直しの判定により、ユーザが被検者の体温を計測しようとした際に、金属キャップ１０２に触れて実測値を上昇させてしまった場合でも、計測をやり直すことができる。
【００３１】
また、ステップＳ４０２、Ｓ４０７により、低体温計測処理が開始されたものの、実測値が外気温のままであったり、何らかの理由で実測値が低下していったりするような場合、或いは、低体温計測開始条件を満足したものの温度がいつまでも安定しないような場合に、低体温計測処理を強制的に完了するようにしたので、計測条件（環境）によっていつまでも計測が完了しないというような事態を回避できる。
【００３２】
３．３  電子体温計における予測処理の流れ
図５は、本実施形態の電子体温計１００による予測処理を説明するフローチャートである。ステップＳ３０５で予測処理開始条件が満たされたと判断した場合には、以下に説明する予測処理が開始される。なお、予測処理は以下のものに限られず、周知の予測処理を適用することができる。
【００３３】
ステップＳ５０１において、予測処理開始条件が成立したと判断されたときの実測値を計測したタイミングを、予測体温演算の基準点（ｔ＝０）として設定する。つまり、電子体温計１００における予測処理では、急激な温度上昇が計測されると、被検者が、所定の計測部位（例えば、腋下）に電子体温計１００を装着したものとみなしている。続いて、ステップＳ５０２において、温度データの取り込みを開始する。より具体的には、出力された温度データと、当該温度データを計測したタイミングとを、時系列データとしてＲＡＭ２２６に記憶する。
【００３４】
次に、ステップＳ５０３において、演算処理部２２３は、ステップＳ５０２において記憶された温度データを用いて、所定の予測式により、予測体温を演算する。すなわち、計測された温度データから、サーミスタ２１３の外部温度との熱平衡状態における温度（熱平衡温度）を推定する。なお、この推定処理は、体温計測開始条件の成立を基準点（ｔ＝０）とし、基準点から所定時間（例えば２５秒）が経過した後の所定期間（例えば、ｔ＝２５秒〜４５秒の２０秒間）において行われる。なお、ステップＳ３０９で表示を予測値に切り替えた場合、この予測体温の演算において推定値として算出された予測値が表示されることになる。
【００３５】
ステップＳ５０４において、演算処理部２２３は、上記の所定期間（本例ではｔ＝２５〜４５秒）において、ステップＳ３０４において算出された一定区間（例えば、５秒間）にわたる予測値が、予め設定された予測成立条件を満たすか否かを判断する。具体的には、一定区間における熱平衡温度の推定値が所定の範囲（例えば、０．１℃）以内に収まっているか否かを判断する。
【００３６】
ステップＳ５０４において、予測成立条件を満たすと判断された場合には、直ちにステップＳ５０５に進み、温度計測を終了するとともに、ステップＳ５０６に進み、予測体温の演算が終了した旨の音声を出力し、表示部２３０に、演算された予測体温を表示する。一方、ステップＳ５０４において、予測成立条件を満たさない状態のまま所定期間を過ぎたと判断された場合には、ステップＳ５０８に進む。ステップＳ５０８では、所定時間（本例ではｔ＝４５秒）を経過しても推定値が得られなかったと判断し、温度計測を強制終了する。なお、強制終了した場合には、その際に演算されていた予測体温を、表示部２３０に表示する（ステップＳ５０６）。このとき表示部２３０や音声出力部２４０（ブザー）を用いて体温計測が強制終了された旨を報知するようにしてもよい。
【００３７】
ステップＳ５０７では、体温計測終了指示を受け付けたか否かを判断する。ステップＳ５０７において、体温計測終了指示を受け付けていないと判断された場合には、ステップＳ５０２に戻る。
【００３８】
一方、ステップＳ５０７において、体温計測終了指示を受け付けたと判断された場合には、電源部をＯＦＦにする。体温計測終了指示は、たとえば電源ＯＮ／ＯＦＦスイッチ１０３により、使用者によってなされるものとする。或いは、新たな体温計測が所定時間を超えて実行されなかった場合に体温計測終了が指示されたと判断するようにしてもよい。あるいは、電子体温計１００が永久磁石を内蔵した収納ケース（不図示）に収納されることで、マグネットリードスイッチがＯＦＦし、電源部２５０からの電源がＯＦＦされる。
【００３９】
図６は、以上説明した本実施形態の電子体温計１００による温度表示を説明する図である。被検者の体温を計測した場合、実測値が所定温度値Ｔ０（２０℃）から所定温度値Ｔ２（３４℃）の間は、実測値が表示される。予測開始条件により予測開始が判定されると（図６では、実測値がＴ１を超えることを条件としている）、予測計算が開始されるが、この時点では実測値の表示が継続される。その後、実測値が所定温度値Ｔ２（３４℃）を超えると、表示部２３０への表示が、予測計算による予測値に切り替わる。実測値６０１のように所定温度値がＴ２（３４℃）を超えない場合には、低体温計測処理が継続され、実測値表示が継続される。そして、低体温計測処理により、計測の開始と実測値の安定が検出されれば、その実測値が体温計測結果（低体温時の計測値）であるとしてユーザに報知される。
【００４０】
以上をまとめると、本実施形態の電子体温計１００では、
・体温が温度値Ｔ２（本例では３４℃）以上であった場合は、通常の平衡温度予測機能を持つ電子体温計と同様の動作となる。
・体温が、外気温より高いが温度値Ｔ２（本例では３４℃）を超えない場合には、実測値の安定（例えば、０．０２℃／８秒以下）が検出された時点で音声出力部２４０またはブザーの鳴動によりその旨を報知し、そのときの実測値を低体温計測処理による計測結果として表示する。
・体温が外気温と同じ場合、低体温開始条件を満足しない状態が所定時間（本実施形態ではタイマ１による時間）継続することになり、低体温計測処理により計測の終了を報知するべく音声出力部２４０による音声出力またはブザーの鳴動がなされる。
・体温が外気温より低い場合、低体温開始条件を満足しない状態が所定時間（本実施形態ではタイマ１による時間）継続することになり、低体温計測処理により計測の終了を報知するべく音声出力部２４０による音声出力またはブザーの鳴動がなされる。
【００４１】
なお、予測開始（ｔ＝０）から所定時間（例えば４分３０秒）が経過した場合に、予測表示を更に実測表示に切り替えるようにしてもよい。更に、予測開始（ｔ＝０）から所定時間（例えば、１０分）が経過した場合に、１０分値として計測値をホールドするようにしても良い。
【００４２】
以上のように、本実施形態によれば、予測式体温計としての機能を維持しながら、低体温症の状態にある被検体の体温を計測することが可能な電子体温計が提供される。
【図１】
0005596323.tif 000002
【図２】
0005596323.tif 000003
【図３】
0005596323.tif 000004
【図４】
0005596323.tif 000005
【図５】
0005596323.tif 000006
【図６】
0005596323.tif 000007